(57)【特許請求の範囲】
【請求項１】
プリーツ状に形成されたフィルタと、前記フィルタの上面側から見たプリーツ折り目の谷部に沿って配される複数本の桟を上枠本体に取り付けた上枠と、前記フィルタの下面側から見たプリーツ折り目の谷部に沿って配される複数本の桟を下枠本体に取り付けた下枠とを備え、前記上枠と下枠とを互いに嵌合することにより、前記上枠の各桟と下枠の各桟とで前記フィルタを挟持したフィルタ装置において、
前記上枠および下枠の各桟のうちの少なくとも一部は、前記フィルタの上面側または下面側から見て隣り合うプリーツ折り目の谷部に沿って配される２つの桟が、その２つの桟の間で前記上枠本体または下枠本体に接合される接合部とともに単一の部材で形成されていることを特徴とするフィルタ装置。
【請求項２】
前記接合部を前記上枠本体または下枠本体に線状に溶接したことを特徴とする請求項１に記載のフィルタ装置。
【発明の詳細な説明】
【技術分野】
【０００１】
本発明は、プリーツ状のフィルタを組み込んだフィルタ装置に関する。
【背景技術】
【０００２】
ビルや工場の空調や換気に用いられる空気清浄装置は、一般に、フィルタボックスやダクト等の内側（空気通路）に取り付けられる枠体にフィルタを組み込んだフィルタ装置を設け、そのフィルタに対して空気を通過させることにより、空気に含まれている異物をフィルタで捕捉して、空気を清浄化している。そして、そのフィルタ装置では、フィルタが捕捉した異物が増えるにつれて濾過性能が低下するため、定期的にフィルタの交換ができるように、フィルタを枠体に着脱可能に組み込んだものが多い。また、フィルタ交換頻度の低減を図るために、互いに平行な折り目を複数形成して濾過面積を大きくしたプリーツ状のフィルタを組み込んだものもよく使用されるようになってきている。
【０００３】
ところで、上記のようなプリーツ状のフィルタを組み込んだフィルタ装置としては、簡単な構造でフィルタ交換作業も容易に行えるように、フィルタの上面側から見たプリーツ折り目の谷部に沿って配される複数本の桟を上枠本体に取り付けた上枠と、フィルタの下面側から見たプリーツ折り目の谷部に沿って配される複数本の桟を下枠本体に取り付けた下枠とを互いに嵌合することにより、上枠の各桟と下枠の各桟とでフィルタを挟持する構成としたものが提案されている（例えば、特許文献１、２参照。）。
【先行技術文献】
【特許文献】
【０００４】
【特許文献１】特開２００６−３２６５４４号公報
【特許文献２】特開２０１１−０００５０１号公報
【発明の概要】
【発明が解決しようとする課題】
【０００５】
しかしながら、上記のようにプリーツ状のフィルタを上枠および下枠の複数の桟で挟持するフィルタ装置では、通常、金属線材で形成した桟を１本ずつ両端で金属製の上枠本体または下枠本体に溶接しているので、各桟と上枠本体または下枠本体との接合強度を十分に確保することが難しい。すなわち、桟の上枠本体または下枠本体への溶接はスポット溶接後にすみ肉溶接を行うことが多いが、スポット溶接は接合面積が小さいため接合強度が小さいし、すみ肉溶接は桟の溶接部の溶け込み量の管理が難しいため接合強度が安定しにくく、溶け過ぎて接合できなくならないように溶け込み量を抑えると接合強度が小さくなりやすい。このため、フィルタ交換を行う作業者が桟を複数本まとめて握り、上枠と下枠とを嵌合したりその嵌合を解除したりするときに、桟と上枠本体または下枠本体との接合が外れてしまい、その補修に手間がかかることがある。
【０００６】
そこで、本発明は、プリーツ状のフィルタを上枠の上枠本体に接合した桟と下枠の下枠本体に接合した桟とで挟持するフィルタ装置において、簡単な構成で桟の接合外れを防止できるようにすることを課題とする。
【課題を解決するための手段】
【０００７】
上記の課題を解決するために、本発明は、プリーツ状に形成されたフィルタと、前記フィルタの上面側から見たプリーツ折り目の谷部に沿って配される複数本の桟を上枠本体に取り付けた上枠と、前記フィルタの下面側から見たプリーツ折り目の谷部に沿って配される複数本の桟を下枠本体に取り付けた下枠とを備え、前記上枠と下枠とを互いに嵌合することにより、前記上枠の各桟と下枠の各桟とで前記フィルタを挟持したフィルタ装置において、前記上枠および下枠の各桟のうちの少なくとも一部は、前記フィルタの上面側または下面側から見て隣り合うプリーツ折り目の谷部に沿って配される２つの桟が、その２つの桟の間で前記上枠本体または下枠本体に接合される接合部とともに単一の部材で形成されている構成を採用した。
【０００８】
すなわち、フィルタの隣り合うプリーツ折り目の谷部に沿って配される２つの桟を、その一端どうしの間および他端どうしの間に配される接合部とともに単一の部材で形成し、各接合部を上枠本体または下枠本体に接合するだけの簡単な構成により、桟を１本ずつ両端で上枠本体または下枠本体に接合する場合に比べて、桟の接合面積を大きくするとともに横方向の外力に対する剛性を高めて、接合外れを防止できるようにしたのである。
【０００９】
上記の構成において、前記接合部を前記上枠本体または下枠本体に線状に溶接するようにすれば、桟の接合強度をさらに向上させて、接合外れをより確実に防止することができる。
【発明の効果】
【００１０】
本発明のフィルタ装置は、上述したように、プリーツ状のフィルタを挟持する上枠の複数の桟と下枠の複数の桟のうちの少なくとも一部の桟について、隣り合うプリーツ折り目の谷部に沿って配される２つの桟を、上枠本体または下枠本体に接合される接合部とともに単一の部材で形成したものであるから、その桟の接合面積を大きくするとともに横方向の外力に対する剛性を高めることができ、接合外れを防止できる。
【図面の簡単な説明】
【００１１】
【図１】実施形態のフィルタ装置の外観斜視図（フィルタを取り外して上枠を開いた状態）
【図２】図１のフィルタを組み込んで上枠を閉じたときのII−II線に沿った断面図
【図３】図２のIII−III線に沿った断面図
【図４】図１の上枠および下枠の桟の取付構造を説明する斜視図
【発明を実施するための形態】
【００１２】
以下、図面に基づき本発明の実施形態を説明する。このフィルタ装置は、図１乃至図３に示すように、プリーツ状に形成されたフィルタ１と、上枠本体１２に複数本の桟１３を取り付けた上枠１１と、下枠本体２２に複数本の桟２３を取り付けた下枠２１とで構成されている。
【００１３】
前記フィルタ１は、矩形のシート状濾材をプリーツ状に折り曲げたもので、その長手方向と直交する方向に延びるプリーツ折り目が長手方向に一定のピッチで形成されている。そして、後述するように、上面側から見たプリーツ折り目の谷部２に沿って上枠１１の各桟１３が配され、下面側から見たプリーツ折り目の谷部３に沿って下枠２１の各桟２３が配されるようになっている。
【００１４】
前記上枠１１は、金属線材で形成した平面視矩形枠状の上枠本体１２に、その両方の長辺の間に渡すように複数本の桟１３を取り付けたものである。その上枠本体１２は、一方の長辺が下枠２１に回動自在に支持されており、他方の長辺には断面Ｌ字形の補強部材１４が取り付けられている。そして、その補強部材１４の長手方向両端部には、後述するように下枠２１に係止される係止金具１５が取り付けられている。
【００１５】
前記下枠２１は、上下に開口する直方体状の下枠本体２２の内側に、金属線材で形成した平面視矩形枠状の取付枠２４を設け、この取付枠２４の両方の長辺の間に渡すように複数本の桟２３を取り付けたものである。その下枠本体２２は、後面の上端に連続する上側開口縁部に複数のヒンジ２５が設けられ、これらのヒンジ２５で上枠１１の上枠本体１２の一方の長辺を回動自在に支持している。
【００１６】
また、下枠本体２２は、その前面および後面の下部に、上向きで内側へ切り起された支持片２６が複数形成されており、各支持片２６と前面および後面の内壁との間に取付枠２４の長辺を差し込んだ状態で各支持片２６をくの字状にかしめることにより、取付枠２４を支持している。
【００１７】
そして、下枠本体２２の前面の両端部の上部には、下向きで内側へ切り起されたくの字状の係止片２７が形成されており、図１の状態から上枠１１を手前側へ回動させて閉じたときに、図２に示すように各係止片２７が上枠１１の係止金具１５に設けられた係止孔１５ａに嵌まり込むことにより、上枠１１と下枠２１とが互いに嵌合した状態で保持されるようになっている。
【００１８】
前記上枠１１と下枠２１の桟１３、２３のフィルタ１長手方向のピッチは、フィルタ１のプリーツ折り目のピッチの２倍とされている。そして、上枠１１の桟１３と下枠２１の桟２３とは、フィルタ１のプリーツ折り目のピッチ分ずれた状態で配置されている。これにより、図２および図３に示すように、上枠１１と下枠２１とを互いに嵌合したときに、フィルタ１の上面側から見たプリーツ折り目の谷部２に沿って上枠１１の各桟１３が位置し、フィルタ１の下面側から見たプリーツ折り目の谷部３に沿って下枠２１の各桟２３が位置し、上枠１１の各桟１３と下枠２１の各桟２３とでフィルタ１を挟持するようになっている。
【００１９】
ここで、図３および図４に示すように、上枠１１の各桟１３は、フィルタ１の上面側から見て隣り合うプリーツ折り目の谷部２に沿って配される２つの桟１３が、その２つの桟１３の間で上枠本体１２に接合される接合部１６とともに単一の金属線材で環状に形成されている。同様に、下枠２１の各桟２３は、フィルタ１の下面側から見て隣り合うプリーツ折り目の谷部３に沿って配される２つの桟２３が、その２つの桟２３の間で下枠本体２２の取付枠２４に接合される接合部２８とともに単一の金属線材で環状に形成されている。なお、図４では図示していないが、上枠１１の各桟１３の接合部１６および下枠２１の各桟２３の接合部２８は、装置前面側のものが単一の線材の端部どうしを突合せたものとなっている。
【００２０】
そして、各桟１３、２３とその接合部１６、２８、上枠本体１２および下枠本体２２の取付枠２４を形成する金属線材の材質としては、ステンレス鋼等で溶接性のあるものを用い、各桟１３、２３の接合部１６、２８を上枠本体１２または下枠本体２２の取付枠２４に線状にすみ肉溶接している。このようにすみ肉溶接を線状に行うことにより、溶接部の溶接方向に多少の溶け込み量のばらつきがあっても高い接合強度が安定して得られる。
【００２１】
このフィルタ装置は、上述したように、上枠１１と下枠２１のそれぞれの桟１３、２３について、フィルタ１の隣り合うプリーツ折り目の谷部２、３に沿って配される２つの桟１３、２３を、その一端どうしの間および他端どうしの間に配される接合部１６、２８とともに単一の金属線材で環状に形成し、各接合部１６、２８を上枠本体１２または下枠本体２２の取付枠２４に線状にすみ肉溶接するようにしたので、桟を１本ずつ両端で上枠本体または下枠本体に接合する場合と同等の簡単な構成で、桟１３、２３の接合面積を大きくして接合強度を向上させるとともに、横方向の外力に対する剛性を高めることができ、桟１３、２３の接合外れを確実に防止することができる。
【００２２】
したがって、フィルタ１を交換する際には、桟１３、２３の接合外れやそれに伴う補修作業が発生するおそれが少なくなり、作業効率の向上を図ることができる。
【００２３】
なお、上述した実施形態では、すべての桟１３、２３を２本ずつ接合部１６、２８とともに環状に形成して２本１組で接合するようにしたが、横方向の外力が加わる可能性の低い桟については、従来と同じく１本ずつ接合するようにしてもよい。
【符号の説明】
【００２４】
１  フィルタ
２、３  プリーツ折り目の谷部
１１  上枠
１２  上枠本体
１３  桟
１６  接合部
２１  下枠
２２  下枠本体
２３  桟
２４  取付枠
２８  接合部
【図１】
0006278856.tif 000002
【図２】
0006278856.tif 000003
【図３】
0006278856.tif 000004
【図４】
0006278856.tif 000005